(57)【要約】【課題】中継装置が必要か否かを迅速、簡易かつ確実に判断することができるようにする。【解決手段】端末装置２Ａ、２Ｂ、２Ｃと、監視装置５とを備えるデータ通信システム１であって、端末装置２Ａ、２Ｂ、２Ｃは、通信可能範囲に存在する他の端末装置及び監視装置５による隣接装置との間で、データ通信の安定性を示す指標である通信安定性指標を測定して監視装置５に通知する。監視装置５は、端末装置２Ａ、２Ｂ、２Ｃから通知される通信安定性指標を判定して、当該端末装置において安定してデータ通信可能な隣接装置の数を判定し、さらに安定してデータ通信可能な隣接装置の数を判定してデータ通信安定性をユーザーに通知する。【選択図】図３
2020188379.tif 000002
【特許請求の範囲】
【請求項１】
端末装置と、前記端末装置と無線通信によりデータ通信して前記端末装置を監視する監視装置とを備えるデータ通信システムであって、
前記端末装置は、
通信可能範囲に存在する他の前記端末装置及び前記監視装置による隣接装置との間で、データ通信の安定性を示す指標である通信安定性指標を測定して前記監視装置に通知し、
前記監視装置は、
前記端末装置から通知される前記通信安定性指標を判定して、当該端末装置において安定してデータ通信可能な隣接装置の数を検出し、
さらに前記安定してデータ通信可能な隣接装置の数を判定して当該端末装置におけるデータ通信安定性をユーザーに通知する
データ通信システム。
【請求項２】
前記隣接装置には、前記端末装置と前記監視装置との間のデータ通信を中継する中継装置が含まれる
請求項１に記載のデータ通信システム。
【請求項３】
前記監視装置は、
前記通信安定性指標の判定に供する判定基準値、及び又は前記安定してデータ通信可能な隣接装置の数の判定に供する判定基準値の設定を受け付ける
請求項１又は請求項２に記載のデータ通信システム。
【請求項４】
前記監視装置は、
前記端末装置と無線通信によりデータ通信して、前記端末装置とネットワークを構築するネットワーク構築装置と、
前記ネットワーク構築装置で取得される前記端末装置からのデータを監視するデータ監視装置とを備え、
前記ネットワーク構築装置が、前記通信安定性指標の判定、前記安定してデータ通信可能な隣接装置の数を判定し、前記データ監視装置を介して前記データ監視装置が監視する前記端末装置における前記データ通信安定性を前記ユーザーに通知する
請求項１、請求項２、請求項３の何れかに記載のデータ通信システム。
【請求項５】
前記監視装置は、
前記端末装置と無線通信によりデータ通信して、前記端末装置とネットワークを構築するネットワーク構築装置と、
前記ネットワーク構築装置で取得される前記端末装置からのデータを監視するデータ監視装置とを備え、
前記データ監視装置が、前記通信安定性指標の判定、前記安定してデータ通信可能な隣接装置の数を判定し、当該データ監視装置が監視する前記端末装置における前記データ通信安定性を前記ユーザーに通知し、さらに判定に供した前記通信安定性指標、前記安定してデータ通信可能な隣接装置の数を記録して保持する
請求項１、請求項２、請求項３の何れかに記載のデータ通信システム。
【請求項６】
前記端末装置は、
センサによる計測結果を前記データ通信により前記監視装置に通知し、
前記監視装置は、
前記端末装置から通知された前記計測結果を前記ユーザーに通知する
請求項１、請求項２、請求項３、請求項４、請求項５の何れかに記載のデータ通信システム。
【請求項７】
端末装置と、前記端末装置と無線通信によりデータ通信して前記端末装置を監視する監視装置とを備えるデータ通信システムにおける監視方法であって、
前記端末装置において、
通信可能範囲に存在する他の前記端末装置及び前記監視装置による隣接装置との間で、データ通信の安定性を示す指標である通信安定性指標を測定して前記監視装置に通知し、
前記監視装置において、
前記端末装置から通知される前記通信安定性指標を判定して、当該端末装置において安定してデータ通信可能な隣接装置の数を検出し、
さらに前記安定してデータ通信可能な隣接装置の数を判定して当該端末装置におけるデータ通信安定性をユーザーに通知する
データ通信システムにおける監視方法。
【請求項８】
演算処理回路による実行により所定の処理手順を実行するデータ通信システムにおける監視プログラムであって、
前記データ通信システムが、端末装置と、前記端末装置と無線通信によりデータ通信して前記端末装置を監視する監視装置とを備え、
前記処理手順は、
前記端末装置から通知される、通信可能範囲に存在する他の前記端末装置及び前記監視装置による隣接装置との間で、データ通信の安定性を示す指標である通信安定性指標を判定して、当該端末装置において安定してデータ通信可能な隣接装置の数を検出する第１の判定ステップと、
前記第１の判定ステップによる前記安定してデータ通信可能な隣接装置の数を判定して当該端末装置におけるデータ通信安定性を判定する第２の判定ステップと、
前記第２の判定ステップによる判定結果をユーザーに通知する通知ステップとを備える
データ通信システムにおける監視プログラム。
【発明の詳細な説明】
【技術分野】
【０００１】
本発明は、データ通信システム、データ通信システムにおける監視方法、データ通信システムにおける監視プログラムに関し、例えば複数の端末装置をプラントの各部に設置して、これら端末装置とのデータ通信によりプラントを監視するデータ収集システムに適用することができる。
【背景技術】
【０００２】
従来、データ通信システムに関して、複数の端末装置をプラントの各部に設置して、これら端末装置とのデータ通信によりプラントを監視するデータ収集システムに関する工夫が提案されている（特許文献１）。
このようなデータ通信システムにおいては、必要に応じて端末装置とのデータ通信を中継する中継装置を設置して端末装置との安定なデータ通信を確保している。
【先行技術文献】
【特許文献】
【０００３】
【特許文献１】特開２０１５−０１３０４９号公報
【発明の概要】
【発明が解決しようとする課題】
【０００４】
しかしながらこの種のデータ通信システムでは、従来、中継装置が必要か否かの判断を簡易かつ確実に実行できない問題がある。
特に、この種のデータ通信システムにおいては、例えば通信経路途中に構造物が設置される等の後発的な要因により、安定してデータ通信できなくなる場合もある。これにより例えば安定してデータ通信可能か否かを定期的に監視して、中継装置が必要か否かを迅速に判断することが必要になる。
【０００５】
本発明は以上の点を考慮してなされたものであり、中継装置が必要か否かを迅速、簡易かつ確実に判断できるようにすることを目的とする。
【課題を解決するための手段】
【０００６】
係る課題を解決するため、請求項１の発明は、
端末装置と、前記端末装置と無線通信によりデータ通信して前記端末装置を監視する監視装置とを備えるデータ通信システムであって、
前記端末装置は、
通信可能範囲に存在する他の前記端末装置及び前記監視装置による隣接装置との間で、データ通信の安定性を示す指標である通信安定性指標を測定して前記監視装置に通知し、
前記監視装置は、
前記端末装置から通知される前記通信安定性指標を判定して、当該端末装置において安定してデータ通信可能な隣接装置の数を検出し、
さらに前記安定してデータ通信可能な隣接装置の数を判定して当該端末装置におけるデータ通信安定性をユーザーに通知する。
【０００７】
請求項１の構成によれば、安定にデータ通信可能な経路の数を監視して端末装置におけるデータ通信安定性をユーザーに通知することができ、これにより中継装置が必要か否かを迅速、簡易かつ確実に判断することができる。
【０００８】
請求項２の発明は、
請求項１の構成において、
前記隣接装置には、前記端末装置と前記監視装置との間のデータ通信を中継する中継装置が含まれる。
【０００９】
請求項２の構成によれば、中継装置が既に設置されているデータ通信システムにおいて、さらに中継装置が必要か否かを迅速、簡易かつ確実に判断することができる。
【００１０】
請求項３の発明は、
請求項１又は請求項２の構成において、
前記監視装置は、
前記通信安定性指標の判定に供する判定基準値、及び又は前記安定してデータ通信可能な隣接装置の数の判定に供する判定基準値の設定を受け付ける。
【００１１】
請求項３の構成によれば、
システム構成、システムの設置環境等に柔軟に対応して、データ通信安定性の判断基準を適宜設定することができる。
【００１２】
請求項４の発明は、請求項１、請求項２、請求項３の何れかの構成において、
前記監視装置は、
前記端末装置と無線通信によりデータ通信して、前記端末装置とネットワークを構築するネットワーク構築装置と、
前記ネットワーク構築装置で取得される前記端末装置からのデータを監視するデータ監視装置とを備え、
前記ネットワーク構築装置が、前記通信安定性指標の判定、前記安定してデータ通信可能な隣接装置の数を判定し、前記データ監視装置を介して前記データ監視装置が監視する前記端末装置における前記データ通信安定性を前記ユーザーに通知する。
【００１３】
請求項４の構成によれば、ネットワーク構築装置で各種の判定を実行することにより、例えばネットワーク構築装置を複数台設ける場合に、ネットワーク毎に判定処理して処理を簡略化することができる。
【００１４】
請求項５の発明は、請求項１、請求項２、請求項３の何れかの構成において、
前記監視装置は、
前記端末装置と無線通信によりデータ通信して、前記端末装置とネットワークを構築するネットワーク構築装置と、
前記ネットワーク構築装置で取得される前記端末装置からのデータを監視するデータ監視装置とを備え、
前記データ監視装置が、前記通信安定性指標の判定、前記安定してデータ通信可能な隣接装置の数を判定して当該データ監視装置が監視する前記端末装置における前記データ通信安定性を前記ユーザーに通知し、さらに判定に供した前記通信安定性指標、前記安定してデータ通信可能な隣接装置の数を記録して保持する。
【００１５】
請求項５の構成によれば、データ通信安定性が不安定な端末装置が存在する場合、その通信安定性指標、安定してデータ通信可能な隣接装置の数に基づいて、中継装置の設置個所を判断することができ、迅速に中継装置を設置することができる。
【００１６】
請求項６の発明は、請求項１、請求項２、請求項３、請求項４、請求項５の何れかの構成において、
前記端末装置は、
センサによる計測結果を前記データ通信により前記監視装置に通知し、
前記監視装置は、
前記端末装置から通知された前記計測結果を前記ユーザーに通知する。
【００１７】
請求項６の構成によれば、例えば複数の端末装置をプラントの各部に設置して、これら端末装置とのデータ通信によりプラントを監視するデータ収集システムに適用して、中継装置が必要か否かを迅速、簡易かつ確実に判断することができる。
【００１８】
請求項７の発明は、
端末装置と、前記端末装置と無線通信によりデータ通信して前記端末装置を監視する監視装置とを備えるデータ通信システムにおける監視方法であって、
前記端末装置において、
通信可能範囲に存在する他の前記端末装置及び前記監視装置による隣接装置との間で、データ通信の安定性を示す指標である通信安定性指標を測定して前記監視装置に通知し、
前記監視装置において、
前記端末装置から通知される前記通信安定性指標を判定して、当該端末装置において安定してデータ通信可能な隣接装置の数を検出し、
さらに前記安定してデータ通信可能な隣接装置の数を判定して当該端末装置におけるデータ通信安定性をユーザーに通知する。
【００１９】
請求項７の構成によれば、安定にデータ通信可能な経路の数を監視して端末装置におけるデータ通信安定性をユーザーに通知することができ、これにより中継装置が必要か否かを迅速、簡易かつ確実に判断することができる。
【００２０】
請求項８の発明は、
演算処理回路による実行により所定の処理手順を実行するデータ通信システムにおける監視プログラムであって、
前記データ通信システムが、端末装置と、前記端末装置と無線通信によりデータ通信して前記端末装置を監視する監視装置とを備え、
前記処理手順は、
前記端末装置から通知される、通信可能範囲に存在する他の前記端末装置及び前記監視装置による隣接装置との間で、データ通信の安定性を示す指標である通信安定性指標を判定して、当該端末装置において安定してデータ通信可能な隣接装置の数を検出する第１の判定ステップと、
前記第１の判定ステップによる前記安定してデータ通信可能な隣接装置の数を判定して当該端末装置におけるデータ通信安定性を判定する第２の判定ステップと、
前記第２の判定ステップによる判定結果をユーザーに通知する通知ステップとを備える。
【００２１】
請求項８の構成によれば、安定にデータ通信可能な経路の数を監視して端末装置におけるデータ通信安定性をユーザーに通知することができ、これにより中継装置が必要か否かを迅速、簡易かつ確実に判断することができる。
【発明の効果】
【００２２】
本発明によれば、中継装置が必要か否かを迅速、簡易かつ確実に判断することができる。
【図面の簡単な説明】
【００２３】
【図１】本発明の第１実施形態に係るデータ収集システムを示す図である。
【図２】図１のデータ収集システムの動作の説明に供する図である。
【図３】図１のデータ収集システムの動作の説明に供するタイムチャートである。
【図４】ユーザー端末装置の表示画面を示す図である。
【発明を実施するための形態】
【００２４】
〔第１実施形態〕
〔全体構成〕
図１は、本発明の第１実施形態に係るデータ収集システムを示す図である。このデータ収集システム１は、例えば複数の端末装置をプラントの各部に設置して、これら端末装置とのデータ通信によりプラントを監視するデータ通信システムである。
【００２５】
このデータ収集システム１は、プラントの各部に設置する端末装置である検出装置２Ａ、２Ｂ、２Ｃと、この検出装置２Ａ、２Ｂ、２Ｃとのデータ通信を中継する中継装置４Ａ、４Ｂと、検出装置２Ａ、２Ｂ、２Ｃとデータ通信して検出装置２Ａ、２Ｂ、２Ｃを監視する監視装置５と、この監視装置５による監視結果をユーザーに通知するユーザー端末装置６とを備える。また監視装置５は、検出装置２Ａ、２Ｂ、２Ｃ、中継装置４Ａ、４Ｂと無線通信によるネットワークを構築するネットワーク構築装置（ＮＷ構築装置）５Ａ、ネットワーク構築装置５Ａを介して取得される検出装置２Ａ、２Ｂ、２Ｃからのデータを監視するデータ監視装置５Ｂとを備える。
なおこのような複数の端末装置をプラントの各部に設置して、これら端末装置とのデータ通信によりプラントを監視するデータ収集システムに限らず、端末装置と無線通信によりデータ通信する各種のデータ通信システムに広く適用することができる。
またこの図１の例では、３台の検出装置２Ａ、２Ｂ、２Ｃと、２台の中継装置４Ａ、４Ｂが設けられている例を示しているものの、検出装置の台数、中継装置の台数にあっては、種々に設定することができ、中継装置を省略するようにしてもよい。
【００２６】
検出装置２Ａ、２Ｂ、２Ｃは、このデータ収集システム１においてデータ収集に供する各種のデータを取得可能であって、このデータ取得箇所に配置される端末装置である。これにより検出装置２Ａ、２Ｂ、２Ｃは、このデータの取得に供する検出部１０、取得したデータ等の無線通信に供する通信制御部１１を備える。検出装置２Ａ、２Ｂ、２Ｃは、取得するデータに対応するように検出部１０が構成される点を除いて、同一に構成される。ここでこの検出部１０で取得されるデータは、例えば温度、振動のデータであり、これにより検出部１０は、対応するセンサ１２Ａ、……、１２Ｘと、このセンサ１２Ａ、……、１２Ｘを駆動して振動等のデータを取得するセンサ制御部１３とを備える。
検出装置２Ａ、２Ｂ、２Ｃは、監視装置５からのリクエストに応じて、及び又は定期的に検出部１０により取得されたデータを監視装置５に送出する。また検出装置２Ａ、２Ｂ、２Ｃは、中継装置としても機能するように通信制御部１１が構成され、これによりデータ収集システム１では、他の検出装置、中継装置（この図１の例では検出装置２Ａ）からの要求によりこの他の検出装置、中継装置から送出されたデータを検出装置（この図１の例では検出装置２Ｂ、２Ｃ）を介して監視装置５に送出し、またこれとは逆に監視装置５からのデータを他の検出装置に通知できるように構成される。
【００２７】
中継装置４Ａ、４Ｂは、検出装置２Ａ、２Ｂ、２Ｃと監視装置５のデータ通信を中継する装置であり、このデータ収集システム１の無線通信方式、データ通信方式に対応する各種の構成を広く適用することができる。
【００２８】
監視装置５は、中継装置４Ａ、４Ｂ、検出装置２Ａ、２Ｂ、２Ｃに各種の制御データを送出してこれら中継装置４Ａ、４Ｂ、検出装置２Ａ、２Ｂ、２Ｃの動作を制御し、さらに中継装置４Ａ、４Ｂ、検出装置２Ａ、２Ｂ、２Ｃの動作を監視して検出装置２Ａ、２Ｂ、２Ｃから送出されたデータを処理する。
【００２９】
すなわち監視装置５において、ネットワーク構築装置５Ａは、検出装置２Ａ、２Ｂ、２Ｃ、中継装置４Ａ、４Ｂと無線通信してネットワークを構築して、このデータ通信に供するデータをデータ監視装置５Ｂとの間で入出力するインターフェースであり、３Ｇ回線、ＬＴＥ（Ｌｏｎｇ  Ｔｅｒｍ  Ｅｖｏｌｕｔｉｏｎ）回線等のモバイル通信を利用可能な構成を適用することができる。
【００３０】
データ監視装置５Ｂは、ネットワーク構築装置５Ａから入力される検出装置２Ａ、２Ｂ、２Ｃからのデータを記録して保持し、さらにこのデータをそれぞれ処理してユーザー端末装置６によりユーザーに提供する。これによりデータ監視装置５Ｂは、ユーザー端末装置６に応じて、検出装置２Ａ、２Ｂ、２Ｃからのデータをユーザー端末装置６に通知する通知部１４Ａ、１４Ｂ、１４Ｃを備える。
なおネットワーク構築装置５Ａ、データ監視装置５Ｂは、一体に構成するようにしてもよい。
ユーザー端末装置６は、監視装置５と有線、無線により接続される各種の情報端末装置を広く適用することができ、例えばパーソナルコンピュータ、スマートフォン等を適用することができる。
【００３１】
〔データ通信安定性〕
データ収集システム１は、それぞれ検出装置２Ａ、２Ｂ、２Ｃ、中継装置４Ａ、４Ｂ、監視装置５の無線通信によりデータ通信可能範囲に、データ通信対象が複数配置される。すなわち監視装置５のデータ通信可能範囲には、検出装置２Ｂ、中継装置４Ａ、４Ｂが配置され、検出装置２Ａのデータ通信可能範囲には、検出装置２Ｂ、２Ｃ、中継装置４Ａが配置される。また検出装置２Ｂのデータ通信可能範囲には、検出装置２Ａ、中継装置４Ａ、監視装置５が配置され、検出装置２Ｃのデータ通信可能範囲には、検出装置２Ａ、中継装置４Ａ、４Ｂが配置される。また中継装置４Ａのデータ通信可能範囲には、検出装置２Ａ、２Ｂ、２Ｃ、中継装置４Ｂ、監視装置５が配置され、中継装置４Ｂのデータ通信可能範囲には、検出装置２Ｃ、中継装置４Ｂ、監視装置５が配置される。
これにより検出装置２Ａ、２Ｂ、２Ｃ、中継装置４Ａ、４Ｂ、監視装置５は、それぞれ複数系統により通信対象とデータ通信可能に構成され、何れかの系統で安定してデータ通信困難となった場合でも、残りの系統を利用してデータ通信できるように構成され、監視対象のデータを確実に取得できるように構成される。
【００３２】
しかしながらこのように何れかの系統で安定してデータ通信困難となり、残りの系統を利用してデータ通信している場合にあっては、データ通信可能な系統数が減少していることにより、データ通信の安定性が損なわれていると言え、必要に応じて中継装置を設置することが必要になる。
【００３３】
しかしながらこの場合、従来においては、データ通信装置毎に、例えば電界強度等のデータ通信の安定性を示す計測値を判断して中継装置の必要性を判断することになり、これらにより中継装置が必要か否かを迅速、簡易かつ確実に判断することが困難になる。
なお何れかの系統で安定してデータ通信困難となり、残りの系統を利用してデータ通信している状態を放置したのでは、この残りの系統で異常が発生してデータ通信困難となり、結局、監視対象を監視できなくなる恐れがある。
【００３４】
そこでこの実施形態では、検出装置２Ａ、２Ｂ、２Ｃにおいて、隣接装置との間で通信安定性指標を測定して監視装置５に通知し、この通信安定性指標を判定して安定してデータ通信可能な隣接装置の数を検出する。さらにこの安定してデータ通信可能な隣接装置の数を判定基準値により判定して検出装置２Ａ、２Ｂ、２Ｃにおけるデータ通信安定性を検出してユーザーに通知する。
なお通信安定性指標は、データ通信の安定性を示す指標であり、例えばＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＰＥＲ（Ｐａｃｋｅｔ  Ｅｒｒｏｒ  Ｒａｔｅ）、ビットエラーレート等、データ通信において伝送路を評価する各種の指標を広く適用することができる。
【００３５】
図２は、図１との対比によりこのデータ通信安定性の処理の説明に供する図であり、図３は、この処理の説明に供するタイムチャートである。
データ収集システム１において、監視装置５は、一定の時間間隔で、順次、検出装置２Ａ、２Ｂ、２Ｃに、データ通信安定性の処理を指示し、これに対応して検出装置２Ａ、２Ｂ、２Ｃは、通信可能範囲に存在する他のデータ通信装置（検出装置、中継装置、監視装置５）である隣接装置との間で、通信安定性指標を測定する（図３、Ｓ１）。
これにより図２の例では、検出装置２Ａは、検出装置２Ｂ、２Ｃ、中継装置４Ａとの間で、符号Ｓ１により示すように、所定の計測用データを送受して通信安定性指標を測定する。なおこの場合、検出装置２Ａから計測用データを送出して検出装置２Ｂ、２Ｃ、中継装置４Ａで計測される通信安定性指標を検出装置２Ａで取得するようにしてもよく、これら検出装置２Ｂ、２Ｃ、中継装置４Ａから送出された計測用データにより通信安定性指標を検出装置２Ａで取得するようにしてもよい。また検出装置２Ａと、検出装置２Ｂ、２Ｃ、中継装置４Ａとの双方で計測用データを送受してそれぞれ通信安定性指標を計測し、その平均値を適用するようにしてもよい。
なお監視装置５からの指示に代えて、検出装置２Ａ、２Ｂ、２Ｃで一定の時間間隔によりこの処理を実行するようにしてもよい。
【００３６】
検出装置２Ａ、２Ｂ、２Ｃは、このようにして計測した通信安定性指標を監視装置５に通知する（図３、Ｓ２）。
またさらにこのデータ収集システム１では、同様にして、中継装置４Ａ、４Ｂにおいても、通信可能範囲に存在する隣接装置との間で、通信安定性指標を測定し、測定結果を監視装置５に通知する。
【００３７】
監視装置５においては、ネットワーク構築装置５Ａにおいて、このようにして通知される通信安定性指標を第１の判定ステップにより事前に設定されている基準値で判定し、この通信安定性指標に係る検出装置において安定してデータ通信可能な隣接装置の数を判定する（図３、Ｓ３、Ｓ４）。
なおこの判定は、例えばＲＳＳＩが−ＸｄＢ以上、ＰＥＲがＹ％以上とする判定である。
【００３８】
続いてネットワーク構築装置５Ａにおいて、第２の判定ステップにより、安定してデータ通信可能な隣接装置の数を判定基準値により判定してデータ通信安定性を検出する（図３、Ｓ５、Ｓ６）。
具体的に、安定してデータ通信可能な隣接装置の数が判定基準値以上の場合（通信安定隣接装置の数≧通信安定隣接装置の基準の数）、データ通信安定性を「安定」と判定する。
また安定してデータ通信可能な隣接装置の数が判定基準値未満の場合（通信安定隣接装置の数＜通信安定隣接装置の基準の数）、データ通信安定性を「不安定」と判定する。
【００３９】
ネットワーク構築装置５Ａは、このデータ通信安定性の判定結果をデータ監視装置５Ｂに通知し、データ監視装置５Ｂは、この通知された判定結果によりそれまで記録されている判定結果を更新する。
またこの通知された判定結果をユーザー端末装置６に出力して表示し、これによりこの判定結果をユーザーに通知する（図３、Ｓ７）。
【００４０】
図４は、このユーザー端末装置６の表示画面６Ａを示す平面図である。
この図４においては、検出装置２Ａにおいて、データ通信安定性が判定されてその判定結果を表示している状態であり、他の検出装置２Ｂ、２Ｃ、中継装置４Ａ、４Ｂについては、判定結果を待っている状態である。
これによりユーザーにおいては、何れの装置に対して中継装置を設置することが必要かを迅速に、簡易かつ確実に判定することができる。
これによりユーザーにおいては、中継装置が必要か否かを迅速、簡易かつ確実に判断することができる。
【００４１】
〔判定基準値の設定〕
さらに監視装置５は、ユーザー端末装置６の操作によるユーザーの指示により、判定基準値の設定画面を表示し、ここで通信安定性指標の判定に供する判定基準値、安定してデータ通信可能な隣接装置の数の判定に供する判定基準値の設定を受け付ける。またこのようにして設定された判定基準値をネットワーク構築装置５Ａの設定を更新する。
なおこの判定基準値の設定にあっては、直接、ネットワーク構築装置５Ａにより設定を受け付けるようにしても良く、データ監視装置５Ｂを介して設定を受け付けるようにしてもよい。
また通信安定性指標の判定に供する判定基準値、安定してデータ通信可能な隣接装置の数の判定に供する判定基準値の何れかの設定を受け付けるようにしてもよい。
また検出装置２Ａ、２Ｂ、２Ｃ、中継装置４Ａ、４Ｂ、監視装置５毎に設定を受け付けるようにしてもよい。
【００４２】
これによりこのデータ収集システム１では、システム構成、システムの設置環境等に柔軟に対応して、データ通信安定性の判断基準を適宜設定することができる。
【００４３】
以上の構成によれば、通信可能範囲に存在する隣接装置との間で通信安定性指標を測定し、この通信安定性指標を判定して安定してデータ通信可能な隣接装置の数を検出し、さらにこの安定してデータ通信可能な隣接装置の数を判定してデータ通信安定性をユーザーに通知することにより、安定にデータ通信可能な経路の数を監視して端末装置におけるデータ通信安定性をユーザーに通知することができ、これにより中継装置が必要か否かを迅速、簡易かつ確実に判断することができる。
【００４４】
またさらにこの隣接装置に中継装置を含めることにより、中継装置を設置したデータ通信システムにおいて、さらに中継装置が必要か否かを迅速、簡易かつ確実に判断することができる。
【００４５】
またさらに通信安定性指標の判定に供する判定基準値、及び又は安定してデータ通信可能な隣接装置の数の判定に供する判定基準値の設定を受け付けることにより、システム構成、システムの設置環境等に柔軟に対応して、データ通信安定性の判断基準を適宜設定することができる。
【００４６】
またさらにネットワーク構築装置で通信安定性指標の判定、安定してデータ通信可能な隣接装置の数を判定してデータ通信安定性を検出することにより、例えばネットワーク構築装置を複数台設ける場合等に、ネットワーク毎に判定処理して処理を簡略化することができる。
【００４７】
〔第２実施形態〕。
この実施形態においては、ネットワーク構築装置５Ａに代えて、データ監視装置５Ｂにおいて、通信安定性指標の判定、安定してデータ通信可能な隣接装置の数を判定する。
またデータ監視装置５Ｂでは、これらの判定に使用した通信安定性指標、安定してデータ通信可能な隣接装置の数を記録して保持する。
これによりデータ通信安定性が不安定な端末装置が存在する場合、記録された通信安定性指標、安定してデータ通信可能な隣接装置の数に基づいて、中継装置の設置個所を判断することができ、迅速に中継装置を設置することができる。
またこれらの判定に供する判定基準値を更新する場合にあっても、記録された通信安定性指標、安定してデータ通信可能な隣接装置の数に基づいて、迅速に対応することができる。特にこのような設定にあっては、ネットワーク構築装置を複数台設置して設置台数が増大した場合に、判定基準値の設定工数を各段に低減することができる。
【００４８】
〔他の実施形態〕
以上、本発明の実施に好適な具体的な構成を詳述したが、本発明は、本発明の趣旨を逸脱しない範囲で、上述の実施形態の構成を種々に変更することができる。
【００４９】
すなわち上述の実施形態では、一定の時間間隔でデータ通信の安定度を判定する場合について述べたが、本発明はこれに限らず、これに加えて、又はこれに代えて、例えば事前に設定されたスケジュールに従って判定するようにしてもよく、さらにはユーザーの指示により判定するようにしてもよい。
【符号の説明】
【００５０】
１  データ収集システム
２Ａ、２Ｂ、２Ｃ  端末装置（検出装置）
４Ａ、４Ｂ  中継装置
５  監視装置
５Ａ  ネットワーク構築装置
５Ｂ  データ監視装置
６  ユーザー端末装置
１０  検出部
１１  通信制御部
１２Ａ、１２Ｘ  センサ
１３  センサ制御部
１４Ａ、１４Ｂ、１４Ｃ  通知部
【図１】
2020188379.tif 000003
【図２】
2020188379.tif 000004
【図３】
2020188379.tif 000005
【図４】
2020188379.tif 000006